(57)【要約】【課題】取出対象の取出口を的確に認識させる。【解決手段】本発明は、パネルの前面と対峙する人が視線を斜め下側へ向けた際の当該視線の先となる前面の所定位置の裏側に、所定の排出部から排出される取出対象を受け取る受取部を設けると共に、パネルの前面の当該所定位置に、その前面側の表面が斜め上側を向くように傾斜する傾斜箇所を有するように形成されると共に、表面の傾斜箇所に、受取部から取出対象を取り出させるための取出口が形成された取出口形成部を設けることにより、パネルの前面と対峙する人が視線を斜め下側へ向けた場合、視覚的に取出口の大きさが実際の大きさよりも小さくなることを防止して、当該取出口をほぼ実際の大きさのまま見せることができ、取出対象の取出口を的確に認識させることができる。【選択図】図４
2014078101.tif 000002
【特許請求の範囲】
【請求項１】
パネルの前面と対峙する人が視線を斜め下側へ向けた際の当該視線の先となる上記前面の所定位置の裏側に設けられ、所定の排出部から排出される取出対象を受け取る受取部と、
上記パネルの上記前面の上記所定位置に設けられ、当該前面側の表面が斜め上側を向くように傾斜する傾斜箇所を有するように形成されると共に、上記表面の上記傾斜箇所に、上記受取部から上記取出対象を取り出させるための取出口が形成された取出口形成部と
を具える取出装置。
【請求項２】
上記取出口形成部は、
上記パネルの上記前面の上記所定位置に設けられた谷形に凹む凹部である
請求項１に記載の取出装置。
【請求項３】
上記取出口形成部は、
上記パネルの上記前面の上記所定位置に設けられた山形に突出する凸部である
請求項１に記載の取出装置。
【請求項４】
上記受取部内を照明するための光源
を具える請求項２又は請求項３に記載の取出装置。
【請求項５】
上記取出口に対し開閉可能に設けられた扉と、
上記扉を、上記取出口に対し閉じるように付勢する付勢部と
を具える請求項４に記載の取出装置。
【請求項６】
上記扉は、
上記光源から上記受取部内の照明用に発射される照明光を通すように形成された
請求項５に記載の取出装置。
【請求項７】
上記扉は、
光透過性の部材により透明又は半透明に形成された
請求項６に記載の取出装置。
【請求項８】
上記扉は、
上端部の扉回動軸を介して、上記取出口に対する閉方向及び開方向へ回動可能に支持され、
上記付勢部は、
上記扉部の重心が、当該扉を上記閉方向へ回転させて上記取出口に対し閉じるように作用するような位置となるように、上記扉に一体に設けられた突起部である
請求項７に記載の取出装置。
【請求項９】
取出対象を排出する排出部と、
パネルと、
上記パネルの前面と対峙する人が視線を斜め下側へ向けた際の当該視線の先となる上記前面の所定位置の裏側に設けられ、上記排出部から排出される上記取出対象を受け取る受取部と、
上記パネルの上記前面の上記所定位置に設けられ、当該前面側の表面が斜め上側を向くように傾斜する傾斜箇所を有するように形成されると共に、上記表面の上記傾斜箇所に、上記受取部から上記取出対象を取り出させるための取出口が形成された取出口形成部と
を具える現金取扱装置。
【請求項１０】
上記取出対象の取出時、当該取出対象を取り出すように促すための通知部
を具える請求項９に記載の現金取扱装置。
【発明の詳細な説明】
【技術分野】
【０００１】
本発明は取出装置及び現金取扱装置に関し、例えば、現金としての硬貨及び紙幣の入金及び出金の取引を行う現金自動預払機（ATM：Automatic  Teller  Machine）に適用して好適なものである。
【背景技術】
【０００２】
従来、例えば、図１６に示すように、現金自動取引装置１００は、略箱型の筐体１０１の上前端部に接客用の略Ｌ字状のパネル（以下、これを接客パネルとも呼ぶ）１０２が設けられると共に、当該接客パネル１０２において上側を向く面の所定位置に紙幣の入出金口１０２Ａが形成されている。
【０００３】
また現金自動取引装置１００において筐体１０１の下端部には、紙幣の入出金処理を行う紙幣取扱装置１０３が、紙幣受取用のバケットを入出金口１０２Ａに近接させて収納されている。
【０００４】
そして現金自動取引装置１００は、入金時、取引を希望する人（以下、これを顧客とも呼ぶ）により入出金口１０２Ａに入金用の紙幣が投入されると、その紙幣を紙幣取扱装置１０３においてバケットで受け取り１枚ずつ繰り出すようにして鑑別部で鑑別した後、金種別収納部へ搬送して収納している。
【０００５】
ただし、現金自動取引装置１００では、例えば、入金時、顧客により入出金口１０２Ａに誤って硬貨や遊戯用のメダル等のような紙幣以外の異物（すなわち、紙幣の入金処理にとっては不要なもの）が投入される場合がある。
【０００６】
このため現金自動取引装置１００は、顧客により入出金口１０２Ａに誤って異物が投入されると、その異物も紙幣と同様に紙幣取扱装置１０３のバケットで受けるものの、そのバケットの底に紙幣は留めつつも、異物は落下させるための孔部が形成されている。
【０００７】
また現金自動取引装置１００は、筐体１０１の前面１０１Ａの所定位置に、顧客に当該筐体１０１内から異物を取り出させるようにして返却するための取出口（以下、これを返却口とも呼ぶ）１０１ＡＸが形成されている。
【０００８】
さらに現金自動取引装置１００は、バケットから落下した異物を受け前斜め下側へ滑らせるようにして返却口１０１ＡＸへ搬送するための返却路１０４が設けられている。
【０００９】
よって現金自動取引装置１００は、入金時、顧客により入出金口１０２Ａに誤って異物が投入されると、その異物を顧客への返却用に紙幣取扱装置１０３のバケットから返却路１０４を介して返却口１０１ＡＸへ搬送していた（例えば、特許文献１参照）。
【先行技術文献】
【特許文献】
【００１０】
【特許文献１】特開２０１０−５５４４３公報（第３頁、第４頁、第５頁、図１、図５）
【発明の概要】
【発明が解決しようとする課題】
【００１１】
ところが、係る構成の現金自動取引装置１００は、接客パネル１０２の上側を向く面が大人の腰くらいの高さに位置し、その面の下となる前面１０１Ａが平坦な垂直面として形成されている。
【００１２】
また現金自動取引装置１００は、バケットから落下した異物を返却路１０４で受けて下側へ滑らせるようにして搬送するために、当該異物の搬送先になる返却口１０１ＡＸが垂直な前面１０１Ａの下端寄りに形成されている。
【００１３】
すなわち、現金自動取引装置１００は、垂直な前面１０１Ａにおいて、当該前面１０１Ａと対峙する顧客が視線を斜め下側へ向けた場合に、その視線の先となる下端寄りに返却口１０１ＡＸが形成されている。
【００１４】
このため現金自動取引装置１００では、前面１０１Ａと対峙する顧客が視線を斜め下側へ向けた場合、視覚的に返却口１０１ＡＸの大きさが実際の大きさよりも小さく（すなわち、上下の長さが実際の長さよりも短く）なる。
【００１５】
従って現金自動取引装置１００では、前面１０１Ａと対峙する顧客にとって、その前面１０１Ａに形成されている返却口１０１ＡＸは視認性が良いとは言えず、その結果、返却口１０１ＡＸを容易には認識させ難いという問題があった。
【００１６】
本発明は以上の点を考慮してなされたもので、取出対象の取出口を的確に認識させ得る取出装置及び現金取扱装置を提案しようとするものである。
【課題を解決するための手段】
【００１７】
かかる課題を解決するため本発明においては、パネルの前面と対峙する人が視線を斜め下側へ向けた際の当該視線の先となる前面の所定位置の裏側に、所定の排出部から排出される取出対象を受け取る受取部を設けると共に、パネルの前面の当該所定位置に、その前面側の表面が斜め上側を向くように傾斜する傾斜箇所を有するように形成されると共に、表面の傾斜箇所に、受取部から取出対象を取り出させるための取出口が形成された取出口形成部を設けるようにした。
【００１８】
従って本発明では、パネルの前面と対峙する人が視線を斜め下側へ向けた場合、視覚的に取出口の大きさが実際の大きさよりも小さくなることを防止して、当該取出口をほぼ実際の大きさのまま見せることができる。
【発明の効果】
【００１９】
本発明によれば、パネルの前面と対峙する人が視線を斜め下側へ向けた際の当該視線の先となる前面の所定位置の裏側に、所定の排出部から排出される取出対象を受け取る受取部を設けると共に、パネルの前面の当該所定位置に、その前面側の表面が斜め上側を向くように傾斜する傾斜箇所を有するように形成されると共に、表面の傾斜箇所に、受取部から取出対象を取り出させるための取出口が形成された取出口形成部を設けるようにしたことにより、パネルの前面と対峙する人が視線を斜め下側へ向けた場合、視覚的に取出口の大きさが実際の大きさよりも小さくなることを防止して、当該取出口をほぼ実際の大きさのまま見せることができ、かくして取出対象の取出口を的確に認識させ得る取出装置及び現金取扱装置を実現することができる。
【図面の簡単な説明】
【００２０】
【図１】本発明による現金自動預払機の外観構成の一実施の形態を示す略線的斜視図である。
【図２】現金自動預払機の内部構成（１）を示す略線的側面図である。
【図３】現金自動預払機の内部構成（２）を示す略線的側面図である。
【図４】異物返却部の構成（１）を示す略線的斜視図である。
【図５】異物返却部の構成（２）を示す略線的断面図である。
【図６】異物受皿の構成を示す略線的斜視図である。
【図７】異物返却部による異物の受け取りの説明に供する略線的断面図である。
【図８】扉の構成を示す略線的斜視図である。
【図９】異物受皿からの異物の取り出しの説明に供する略線的断面図である。
【図１０】異物返却部の凹部及び返却口の大きさの説明に供する略線的正面図である。
【図１１】待機案内画像の構成を示す略線図である。
【図１２】取出案内画像の構成を示す略線図である。
【図１３】異物取出処理手順を示すフローチャートである。
【図１４】他の実施の形態による現金自動預払機の外観構成を示す略線的斜視図である。
【図１５】他の実施の形態による異物返却部の構成を示す略線的斜視図である。
【図１６】従来の現金自動取引装置の外観構成を示す略線的斜視図である。
【発明を実施するための形態】
【００２１】
以下図面を用いて、発明を実施するための最良の形態（以下、これを実施の形態とも呼ぶ）について説明する。なお、説明は以下の順序で行う。
（１）実施の形態
（２）他の実施の形態
【００２２】
（１）実施の形態
（１−１）現金自動預払機の外観構成
図１において、１は全体として本発明を適用した現金自動預払機の外観構成を示す。因みに、以下の説明では、現金自動預払機１を、その前面２Ａと対峙して見た場合の図中に矢印ａ１で示す左の方向を、預払機左方向とも呼び、当該預払機左方向とは逆の方向を、預払機右方向とも呼ぶ。
【００２３】
そして、以下の説明では、預払機左方向及び預払機右方向を特に区別する必要がない場合、これらをまとめて預払機左右方向とも呼ぶ。
【００２４】
また、以下の説明では、現金自動預払機１を、その前面２Ａと対峙して見た場合の図中に矢印ｂ１で示す上の方向を、預払機上方向とも呼び、当該預払機上方向とは逆の方向を、預払機下方向とも呼ぶ。
【００２５】
そして、以下の説明では、預払機上方向及び預払機下方向を特に区別する必要がない場合、これらをまとめて預払機上下方向とも呼ぶ。
【００２６】
さらに、以下の説明では、現金自動預払機１を、その前面２Ａと対峙して見た場合の図中に矢印ｃ１で示す手前の方向を、預払機前方向とも呼び、当該預払機前方向とは逆の方向を、預払機後方向とも呼ぶ。
【００２７】
そして、以下の説明では、預払機前方向及び預払機後方向を特に区別する必要がない場合、これらをまとめて預払機前後方向とも呼ぶ。
【００２８】
現金自動預払機１は、上前隅部が切り欠かれたような略Ｌ字箱型の筐体（以下、これを預払機筐体とも呼ぶ）３を有している。
【００２９】
預払機筐体３は、前端に例えば、立っている大人の腰の高さくらいの所定の高さを有するパネル（以下、これを前パネルとも呼ぶ）２が、ほぼ垂直な表面を上述の現金自動預払機１の前面２Ａとして前側に向けて設けられている。
【００３０】
また預払機筐体３は、前パネル２の上側の切欠部分に、接客用の略Ｌ字状のパネル（以下、これを接客パネルとも呼ぶ）４が設けられている。
【００３１】
接客パネル４において表面が上側を向く上向パネル４Ａは、例えば、その表面の左後端部に、取引を希望する人（以下、これを顧客とも呼ぶ）に入金用の硬貨を投入させ、また出金用の硬貨を取り出させるための略円形状の硬貨投入取出口４ＡＸが形成されている。
【００３２】
また上向パネル４Ａは、例えば、その表面の右後端部に、顧客に入金用の紙幣を投入させ、また出金用の紙幣を取り出させるための略長方形状の紙幣投入取出口４ＡＹが預払機左右方向と平行に形成されている。
【００３３】
さらに上向パネル４Ａには、例えば、その表面の中央前端部に、取引の手順を案内するための種々の取引手順案内画像の表示及び表面へのタッチ操作が可能なタッチスクリーン５が配置されている。
【００３４】
因みに、預払機筐体３は、上向パネル４Ａの裏面に、硬貨投入取出口４ＡＸを開放及び閉塞するためのシャッタ（以下、これを硬貨口用シャッタとも呼ぶ）６を有するシャッタ開閉部（以下、これを硬貨口用シャッタ開閉部とも呼ぶ）が配置されている。
【００３５】
また預払機筐体３は、上向パネル４Ａの裏面に、紙幣投入取出口４ＡＹを開放及び閉塞するためのシャッタ（以下、これを紙幣口用シャッタとも呼ぶ）７を有するシャッタ開閉部（以下、これを紙幣口用シャッタ開閉部とも呼ぶ）が配置されている。
【００３６】
一方、接客パネル４において表面が前側を向く前向パネル４Ｂには、例えば、その表面の中央部の左寄りに、取引の際、通帳を挿入させ、また当該通帳を排出するための略長方形状の通帳挿入排出口８が預払機左右方向と平行に形成されている。
【００３７】
また前向パネル４Ｂには、例えば、その表面の中央部の右寄りに、取引の際、キャッシュカードやクレジットカード等のカードを挿入させ、また当該カードを排出するための略長方形状のカード挿入排出口９が預払機左右方向と平行に形成されている。
【００３８】
これに加えて前パネル２は、前面２Ａの下端部の左寄りに例えば、入金の際、顧客により硬貨投入取出口４ＡＸや紙幣投入取出口４ＡＹに誤って投入された異物を、その顧客に預払機筐体３内から取り出させるようにして返却するための略四角形状の取出口２ＡＸが形成されている。
【００３９】
すなわち、前パネル２は、前面２Ａにおいて、当該前面２Ａと対峙する顧客が視線を斜め下側へ向けた場合の、その視線の先となる所定位置に、異物返却用の取出口２ＡＸが形成されている。
【００４０】
因みに、入金の際に顧客により硬貨投入取出口４ＡＸに誤って投入される異物とは、硬貨の入金処理では扱えない遊戯用のメダルやクリップ等のような硬貨以外のものである。
【００４１】
また入金の際に顧客により紙幣投入取出口４ＡＹに誤って投入される異物とは、紙幣の入金処理では扱えない硬貨や遊戯用のメダル、クリップ等のような紙幣以外のものである。
【００４２】
なお、以下の説明では、前パネル２の前面２Ａに形成された、異物を返却するための取出口２ＡＸを、返却口２ＡＸとも呼ぶ。
【００４３】
現金自動預払機１は、係る構成のもと、タッチスクリーン５に取引手順案内画像を表示すると共に、顧客によるタッチスクリーン５の表面へのタッチ操作に応じて、当該タッチスクリーン５に表示する取引手順案内画像を適宜切り換える。
【００４４】
そして現金自動預払機１は、タッチスクリーン５に適宜切り換えて表示する取引手順案内画像によって、顧客に硬貨や紙幣の預け入れのような入金や、硬貨や紙幣の払い出しのような出金等の所望の取引の手順を案内する。
【００４５】
これにより現金自動預払機１は、顧客に取引の手順の案内に従って、通帳挿入排出口８やカード挿入排出口９に通帳やカードを挿入させる。
【００４６】
そのうえで、現金自動預払機１は、入金の際には顧客に取引の手順の案内に従って、硬貨投入取出口４ＡＸや紙幣投入取出口４ＡＹに入金用の硬貨や紙幣を投入させる。
【００４７】
ただし、現金自動預払機１は、入金の際、顧客により硬貨投入取出口４ＡＸや紙幣投入取出口４ＡＹに誤って異物が投入されると、その顧客に取引の手順の案内に従って、返却口２ＡＸを介して預払機筐体３内から異物を取り出させるようにして返却する。
【００４８】
また現金自動預払機１は、出金の際には顧客に取引の手順の案内に従って、硬貨投入取出口４ＡＸや紙幣投入取出口４ＡＹから出金用の硬貨や紙幣を取り出させる。
【００４９】
そして現金自動預払機１は、通帳挿入排出口８やカード挿入排出口９から通帳やカードを排出するようにして、顧客に取引の手順の案内に従って、その通帳やカードを受け取らせる。
【００５０】
このようにして現金自動預払機１は、顧客が所望する現金（すなわち、硬貨や紙幣）の入金や出金等の取引を行うことができる。
【００５１】
（１−２）現金自動預払機の内部構成
次いで、現金自動預払機１の内部構成について説明する。図２及び図３に示すように、現金自動預払機１の預払機筐体３内には、上述のように上向パネル４Ａの裏面の左側（すなわち、硬貨投入取出口４ＡＸの下側）に硬貨口用シャッタ開閉部１５が配置されている。
【００５２】
そして預払機筐体３は、硬貨口用シャッタ開閉部１５の下側となる左下端部に、硬貨を入金用及び出金用に処理する硬貨処理ユニット１６が収納されている。
【００５３】
また預払機筐体３内には、上述のように上向パネル４Ａの裏面の右側（すなわち、紙幣投入取出口４ＡＹの下側）に紙幣口用シャッタ開閉部１７が配置されている。
【００５４】
そして預払機筐体３は、紙幣口用シャッタ開閉部１７の下側となる右下端部に、紙幣を入金用及び出金用に処理する紙幣処理ユニット１８が収納されている。
【００５５】
さらに預払機筐体３は、例えば、硬貨処理ユニット１６の前斜め下側となる前下端部の左寄りに、顧客に預払機筐体３内の異物を取り出させて返却するための、上述した返却口２ＡＸを有する取出部（以下、これを異物返却部とも呼ぶ）１９が設けられている。
【００５６】
そして預払機筐体３は、左下端部において硬貨処理ユニット１６の下側に、現金自動預払機１全体を統括制御する制御ユニット２０が収納されている。
【００５７】
ここで、硬貨処理ユニット１６は、略箱型の筐体（以下、これを硬貨ユニット筐体とも呼ぶ）２２を有している。
【００５８】
硬貨ユニット筐体２２内には、例えば、上前端部に、顧客から入金用の硬貨を受け取り、また顧客に出金用の硬貨を引き渡すための硬貨受皿（図示せず）を有する硬貨受渡部２３が、その硬貨受皿を閉状態の硬貨口用シャッタ６の裏面に近接させるようにして配置されている。
【００５９】
また硬貨ユニット筐体２２内には、硬貨受渡部２３の下側に硬貨分離部２４が配置されると共に、当該硬貨受渡部２３と硬貨分離部２４との間の後寄りに硬貨鑑別部２５が配置されている。
【００６０】
さらに硬貨ユニット筐体２２内には、硬貨鑑別部２５の後側に複数の硬貨振分部２６Ａ乃至２６Ｆが順に配置されると共に、当該複数の硬貨振分部２６Ａ乃至２６Ｆの下に、それぞれ硬貨を金種別に一時的に保持する（すなわち、それぞれ特定の１金種の硬貨のみを一時的に保持する）一時保持部２７Ａ乃至２７Ｆが配置されている。
【００６１】
さらにまた硬貨ユニット筐体２２内には、複数の一時保持部２７Ａ乃至２７Ｆの下に、それぞれ入金用及び出金用の複数の硬貨を金種別に収納する（すなわち、それぞれ特定の１金種の硬貨のみを収納する）ための硬貨収納庫２８Ａ乃至２８Ｆが配置されている。
【００６２】
因みに、硬貨ユニット筐体２２内には、特には図示しないが、変形している硬貨や損傷している硬貨、金種を判別し得ない硬貨等のような異常な硬貨を収納する収納庫も配置されている。
【００６３】
なお、以下の説明では、変形している硬貨や損傷している硬貨、金種を判別し得ない硬貨等のような異常な硬貨を、適宜、正常な硬貨とは区別してリジェクト硬貨とも呼び、当該リジェクト硬貨を収納する収納庫を、硬貨リジェクト庫とも呼ぶ。
【００６４】
そして硬貨ユニット筐体２２内には、硬貨受渡部２３及び硬貨分離部２４間や、当該硬貨分離部２４から硬貨鑑別部２５及び複数の硬貨振分部２６Ａ乃至２６Ｆを順次介した硬貨受渡部２３までの間等に、搬送ベルトやシュータ等によって硬貨搬送用の搬送路（以下、これを硬貨搬送路とも呼ぶ）３０が形成されている。
【００６５】
また硬貨ユニット筐体２２は、異物搬送用の例えば、所定形状のパイプでなるシュータ（以下、これを第１異物シュータとも呼ぶ）３２が、一端部を硬貨分離部２４に接続すると共に、他端部を異物返却部１９に接続して設けられている。
【００６６】
因みに、第１異物シュータ３２は、異物を、一端の異物取込口から搬送通路内に取り込み、その搬送通路内で落下させ、また傾斜している内面で斜め下側へ滑らせるようにして他端側へ搬送して当該他端の異物排出口から排出するものである。
【００６７】
一方、紙幣処理ユニット１８は、略箱型の筐体（以下、これを紙幣ユニット筐体とも呼ぶ）３５を有している。
【００６８】
そして紙幣ユニット筐体３５内には、例えば、上前端部に、顧客から入金用の紙幣を受け取り、また顧客に出金用の紙幣を引き渡すための紙幣受皿（図示せず）を有する紙幣受渡部３６が、その紙幣受皿を閉状態の紙幣口用シャッタ７の裏面に近接させるようにして配置されている。
【００６９】
また紙幣ユニット筐体３５内には、紙幣受渡部３６の後斜め下に紙幣鑑別部３７が配置されると共に、当該紙幣鑑別部３７の後斜め上に、一時保留部３８が配置されている。
【００７０】
さらに紙幣ユニット筐体３５内には、紙幣受渡部３６、紙幣鑑別部３７及び一時保留部３８の下側に、入金用及び出金用の複数の紙幣を金種別に収納する（すなわち、それぞれ特定の１金種の紙幣のみを収納する）ための複数の紙幣収納庫３９乃至４３が配置されている。
【００７１】
因みに、紙幣ユニット筐体３５内には、特には図示しないが、破損している紙幣や折れ曲がっている紙幣等のような異常な紙幣を収納する収納庫も配置されている。
【００７２】
なお、以下の説明では、破損している紙幣や折れ曲がっている紙幣等のような異常な紙幣を、適宜、正常な紙幣とは区別してリジェクト紙幣とも呼び、当該リジェクト紙幣を収納する収納庫を、紙幣リジェクト庫とも呼ぶ。
【００７３】
そして紙幣ユニット筐体３５内には、紙幣受渡部３６及び紙幣鑑別部３７間や、当該紙幣鑑別部３７及び一時保留部３８間、紙幣鑑別部３７と複数の紙幣収納庫３９乃至４３との間等に、搬送ローラや搬送ベルト等によって紙幣搬送用の搬送路（以下、これを紙幣搬送路とも呼ぶ）４４が形成されている。
【００７４】
また紙幣ユニット筐体３５には、異物搬送用の例えば、所定形状のパイプでなるシュータ（以下、これを第２異物シュータとも呼ぶ）４５が、その一端を紙幣受渡部３６に接続すると共に、他端部を異物返却部１９に接続するようにして設けられている。
【００７５】
因みに、第２異物シュータ４５も、第１異物シュータ３２と同様に、異物を、一端の異物取込口から搬送通路内に取り込み、その搬送通路内で落下させ、また傾斜している内面で斜め下側へ滑らせるようにして他端側へ搬送して当該他端の異物排出口から排出するものである。
【００７６】
制御ユニット２０は、係る構成のもと、入金時、硬貨口用シャッタ開閉部１５により硬貨口用シャッタ６を開くと共に、紙幣口用シャッタ開閉部１７により紙幣口用シャッタ７を開いて、顧客に硬貨投入取出口４ＡＸ及び紙幣投入取出口４ＡＹへ入金用の硬貨及び紙幣を投入するように促す。
【００７７】
この際、制御ユニット２０は、顧客により硬貨投入取出口４ＡＸに１又は複数の入金用の硬貨が投入されると、硬貨処理ユニット１６の硬貨受渡部２３により硬貨受皿で、その入金用の硬貨を受け取る。
【００７８】
そして制御ユニット２０は、硬貨受渡部２３から硬貨受皿で受け取った入金用の硬貨を繰り出し硬貨搬送路３０を介して硬貨分離部２４へ搬送する。
【００７９】
また制御ユニット２０は、硬貨分離部２４により入金用の１又は複数の硬貨を１枚ずつ分離して繰り出し硬貨搬送路３０を介して硬貨鑑別部２５へ搬送して、当該硬貨鑑別部２５において、その硬貨の金種や状態等を鑑別させる。
【００８０】
その結果、制御ユニット２０は、硬貨鑑別部２５から正常であると鑑別されて繰り出された硬貨については、硬貨搬送路３０及び複数の硬貨振分部２６Ａ乃至２６Ｆを順次介して、その金種に応じた一時保持部２７Ａ乃至２７Ｆへ搬送して一時的に保持させることにより、当該硬貨の入金を保留する。
【００８１】
また制御ユニット２０は、硬貨鑑別部２５から異常であると鑑別されて繰り出された硬貨については、リジェクト硬貨として硬貨搬送路３０及び複数の硬貨振分部２６Ａ乃至２６Ｆを順次介して硬貨受渡部２３へ戻すように搬送して硬貨受皿で受け取らせる。
【００８２】
そして制御ユニット２０は、硬貨口用シャッタ開閉部１５により硬貨口用シャッタ６を開いて、顧客に硬貨投入取出口４ＡＸを介して硬貨受皿からリジェクト硬貨を取り出させるようにして返却する。
【００８３】
また制御ユニット２０は、この際、顧客により紙幣投入取出口４ＡＹに１又は複数の入金用の紙幣が投入されると、紙幣処理ユニット１８の紙幣受渡部３６により紙幣受皿で、その入金用の紙幣を受け取る。
【００８４】
そして制御ユニット２０は、その紙幣受渡部３６から紙幣受皿で受け取った入金用の紙幣を１枚ずつ繰り出し紙幣搬送路４４を介して紙幣鑑別部３７へ搬送して、当該紙幣鑑別部３７において、その紙幣の金種や状態等を鑑別させる。
【００８５】
その結果、制御ユニット２０は、紙幣鑑別部３７から正常であると鑑別されて繰り出された紙幣については、紙幣搬送路４４を介して一時保留部３８へ搬送して一時的に保持させることにより、当該紙幣の入金を保留する。
【００８６】
また制御ユニット２０は、紙幣鑑別部３７から異常であると鑑別されて繰り出された紙幣については、リジェクト紙幣として紙幣搬送路４４を介して紙幣受渡部３６へ戻すように搬送して紙幣受皿で受け取らせる。
【００８７】
そして制御ユニット２０は、紙幣口用シャッタ開閉部１７により紙幣口用シャッタ７を開いて、顧客に紙幣投入取出口４ＡＹを介して紙幣受皿からリジェクト紙幣を取り出させるようにして返却する。
【００８８】
このようにして制御ユニット２０は、硬貨鑑別部２５や紙幣鑑別部３７により入金用の硬貨や入金用の紙幣が全て鑑別されると、正常であると鑑別された硬貨や紙幣の総額（すなわち、入金の金額）を、タッチスクリーン５を介して顧客に提示する。
【００８９】
その結果、制御ユニット２０は、入金の金額を確認した顧客によりタッチスクリーン５を介して入金が指示されると、例えば、一時保持部２７Ａ乃至２７Ｆから一時的に保持していた硬貨を落下させるようにして、対応する（すなわち、硬貨の金種に応じた）硬貨収納庫２８Ａ乃至２８Ｆへ移して収納する。
【００９０】
また制御ユニット２０は、顧客により入金が指示されると、例えば、一時保留部３８から一時的に保持していた紙幣を１枚ずつ繰り出し紙幣搬送路４４を介して紙幣鑑別部３７へ搬送して、当該紙幣鑑別部３７において再び、その紙幣の金種や状態等を鑑別させる。
【００９１】
そして制御ユニット２０は、紙幣鑑別部３７から正常であると鑑別されて繰り出された紙幣については、紙幣搬送路４４を介して当該紙幣の金種に応じた紙幣収納庫３９乃至４３へ搬送して収納する。
【００９２】
ただし、制御ユニット２０は、この際、紙幣鑑別部３７から異常であると鑑別されて繰り出された紙幣については、リジェクト紙幣として紙幣搬送路４４を介して紙幣リジェクト庫へ搬送して収納することにより、その後の出金には用いないようにする。
【００９３】
このようにして制御ユニット２０は、硬貨処理ユニット１６により硬貨を入金処理し、また紙幣処理ユニット１８により紙幣を入金処理して、顧客の所望する取引としての現金（すなわち、硬貨や紙幣）の入金を行うことができる。
【００９４】
一方、制御ユニット２０は、出金時、顧客によりタッチスクリーン５を介して出金の金額が指定されると、例えば、複数の硬貨収納庫２８Ａ乃至２８Ｆから、顧客により指定された金額分の硬貨を出金用として１枚ずつ繰り出す。
【００９５】
この際、制御ユニット２０は、複数の硬貨収納庫２８Ａ乃至２８Ｆから１枚ずつ繰り出した出金用の硬貨を、硬貨搬送路３０を介して硬貨分離部２４へ搬送する。
【００９６】
また制御ユニット２０は、硬貨分離部２４により出金用の１又は複数の硬貨を１枚ずつ分離して繰り出し硬貨搬送路３０を介して硬貨鑑別部２５へ搬送して、当該硬貨鑑別部２５において、その硬貨の金種や状態等を鑑別させる。
【００９７】
その結果、制御ユニット２０は、硬貨鑑別部２５から正常であると鑑別されて繰り出された硬貨については、硬貨搬送路３０及び複数の硬貨振分部２６Ａ乃至２６Ｆを順次介して硬貨受渡部２３へ搬送して硬貨受皿で受け取らせる。
【００９８】
ただし、制御ユニット２０は、この際、硬貨鑑別部２５から異常であると鑑別されて繰り出された硬貨については、リジェクト硬貨として硬貨搬送路３０及び複数の硬貨振分部２６Ａ乃至２６Ｆを順次介して硬貨リジェクト庫へ搬送して収納することにより、その後の出金には用いないようにする。
【００９９】
また制御ユニット２０は、顧客により出金の金額が指定されると、例えば、紙幣収納庫３９乃至４３から、顧客により指定された金額分の紙幣を１枚ずつ繰り出し紙幣搬送路４４を介して紙幣鑑別部３７へ搬送して、当該紙幣鑑別部３７において紙幣の金種や状態等を鑑別させる。
【０１００】
その結果、制御ユニット２０は、紙幣鑑別部３７から正常であると鑑別されて繰り出された紙幣については、紙幣搬送路４４を介して紙幣受渡部３６へ搬送して紙幣受皿で受け取らせる。
【０１０１】
ただし、制御ユニット２０は、この際、紙幣鑑別部３７から異常であると鑑別されて繰り出された紙幣については、リジェクト紙幣として紙幣搬送路４４を介して紙幣リジェクト庫へ搬送して収納することにより、その後の出金には用いないようにする。
【０１０２】
このようにして制御ユニット２０は、硬貨受渡部２３や紙幣受渡部３６へ出金用に指定された金額分の硬貨や紙幣を搬送し終えると、硬貨口用シャッタ開閉部１５により硬貨口用シャッタ６を開くと共に、紙幣口用シャッタ開閉部１７により紙幣口用シャッタ７を開く。
【０１０３】
これにより制御ユニット２０は、顧客に硬貨投入取出口４ＡＸを介して硬貨受皿から出金用の硬貨を取り出させるようにして引き渡し、また紙幣投入取出口４ＡＹを介して紙幣受皿から出金用の紙幣を取り出させるようにして引き渡す。
【０１０４】
すなわち、制御ユニット２０は、顧客に、出金用に指定されていた金額分の硬貨や紙幣を引き渡す。
【０１０５】
このようにして制御ユニット２０は、硬貨処理ユニット１６により硬貨を出金処理し、また紙幣処理ユニット１８により紙幣を出金処理して、顧客の所望する取引としての現金（すなわち、硬貨や紙幣）の出金を行うことができる。
【０１０６】
ところで、上述の硬貨受渡部２３は、例えば、硬貨受皿の開口部の対向する一対の縁部分の一方に、一対の発光素子及び受光素子からなる光センサの当該発光素子が配置されると共に、他方に受光素子が配置されている。
【０１０７】
これにより制御ユニット２０は、入金時や出金時、光センサにおいて発光素子の発射した光ビームを受光素子で受光するようにして、その光ビームの受光が一時的に遮られたか否かに応じて硬貨口用シャッタ６の開閉を制御している。
【０１０８】
実際に制御ユニット２０は、入金時、上述のように硬貨口用シャッタ開閉部１５により硬貨口用シャッタ６を開いて顧客に硬貨投入取出口４ＡＸに対する入金用の硬貨の投入を促している。
【０１０９】
この際、制御ユニット２０は、硬貨投入取出口４ＡＸに投入される入金用の硬貨や、入金用の硬貨の投入のために硬貨投入取出口４ＡＸに差し込まれた手によって光ビームの受光が一時的に遮られると、硬貨投入取出口４ＡＸに入金用の硬貨が投入されたものとして、その後、硬貨口用シャッタ開閉部１５により硬貨口用シャッタ６を閉じている。
【０１１０】
ただし、制御ユニット２０は、硬貨受渡部２３に設けられた光センサによっては、この際、硬貨投入取出口４ＡＸに投入されたものが、入金用の硬貨であるのか、異物であるのかを判別し得ない。
【０１１１】
このため硬貨処理ユニット１６では、入金時、顧客により硬貨投入取出口４ＡＸに誤って異物が単独で、又は入金用の硬貨と共に投入されると、その異物（及び硬貨）を硬貨受渡部２３の硬貨受皿で受け取り、当該硬貨受渡部２３から硬貨搬送路３０を介して硬貨分離部２４へ搬送している。
【０１１２】
そして硬貨分離部２４は、例えば、所定の硬貨分離手法で複数の硬貨を１枚ずつ分離するものの、その硬貨分離手法で硬貨としては分離し得ないものを異物として第１異物シュータ３２の異物取込口から搬送通路内に入れるようにしている。
【０１１３】
これにより硬貨分離部２４は、入金時、顧客により硬貨投入取出口４ＡＸに誤って異物が投入されると、その異物を硬貨受渡部２３から受け取った後、第１異物シュータ３２を介して異物返却部１９へ搬送している。
【０１１４】
また上述の紙幣受渡部３６にも、硬貨受渡部２３と同様に紙幣受皿の開口部の対向する一対の縁部分の一方に、一対の発光素子及び受光素子からなる光センサの当該発光素子が配置されると共に、他方に受光素子が配置されている。
【０１１５】
これにより制御ユニット２０は、入金時や出金時、その光センサにおいて発光素子の発射した光ビームを受光素子で受光するようにして、その光ビームの受光が一時的に遮られたか否かに応じて紙幣口用シャッタ７の開閉を制御している。
【０１１６】
実際に制御ユニット２０は、入金時、上述のように紙幣口用シャッタ開閉部１７により紙幣口用シャッタ７を開いて顧客に紙幣投入取出口４ＡＹに対する入金用の紙幣の投入を促している。
【０１１７】
この際、制御ユニット２０は、紙幣投入取出口４ＡＹに投入される入金用の紙幣や、入金用の紙幣の投入のために紙幣投入取出口４ＡＹに差し込まれた手によって光ビームの受光が一時的に遮られると、紙幣投入取出口４ＡＹに入金用の紙幣が投入されたものとして、その後、紙幣口用シャッタ開閉部１７により紙幣口用シャッタ７を閉じている。
【０１１８】
ただし、制御ユニット２０は、上述した入金用の硬貨が投入される際と同様に、紙幣受渡部３６に設けられた光センサによっては、この際、紙幣投入取出口４ＡＹに投入されたものが、入金用の紙幣であるのか、異物であるのかを判別し得ない。
【０１１９】
このため紙幣処理ユニット１８では、入金時、顧客により紙幣投入取出口４ＡＹに誤って異物が単独で、又は入金用の紙幣と共に投入されると、その異物（及び紙幣）を紙幣受渡部３６の紙幣受皿で受けるものの、当該紙幣受皿の底に、紙幣は紙幣受皿内に留めつつも、異物は紙幣受皿の下へ落下させるための複数のスリットが形成されている。
【０１２０】
また紙幣受渡部３６は、紙幣受皿の下に、その紙幣受皿から落下した異物を受け取り第２異物シュータ４５の一端まで搬送して、当該第２異物シュータ４５の異物取込口から搬送通路内に異物を落下させるようにして入れるための搬送ベルトが設けられている。
【０１２１】
これにより紙幣受渡部３６は、入金時、顧客により紙幣投入取出口４ＡＹに誤って異物が投入されると、その異物を紙幣受皿で受けつつも底のスリットに通して落下させた後、搬送ベルト及び第２異物シュータ４５を順次介して異物返却部１９へ搬送している。
【０１２２】
これに加えて硬貨処理ユニット１６では、例えば、第１異物シュータ３２の一端部（すなわち、硬貨分離部２４との接続部分となる一端部）に、搬送通路内を異物が通ったか否かを検出するための所定のセンサ（以下、これを第１異物センサとも呼ぶ）が設けられている。
【０１２３】
よって制御ユニット２０は、入金時、顧客により硬貨投入取出口４ＡＸに誤って異物が投入された場合、第１異物センサを介して、硬貨投入取出口４ＡＸに誤って異物が投入されたことを検出し得ると共に、その異物が第１異物シュータ３２を介して異物返却部１９へ搬送されることを検出することができる。
【０１２４】
また紙幣処理ユニット１８についても、例えば、第２異物シュータ４５の一端部（すなわち、紙幣受渡部３６との接続部分となる一端部）に、搬送通路内を異物が通ったか否かを検出するための所定のセンサ（以下、これを第２異物センサとも呼ぶ）が設けられている。
【０１２５】
よって制御ユニット２０は、入金時、顧客により紙幣投入取出口４ＡＹに誤って異物が投入された場合も、第２異物センサを介して、紙幣投入取出口４ＡＹに誤って異物が投入されたことを検出し得ると共に、その異物が第２異物シュータ４５を介して異物返却部１９へ搬送されることを検出することができる。
【０１２６】
そして制御ユニット２０は、顧客により硬貨投入取出口４ＡＸや紙幣投入取出口４ＡＹに誤って異物が投入された場合、第１異物センサや第２異物センサを介して、その異物を検出すると、顧客に返却口２ＡＸから異物を取り出すように促す。
【０１２７】
これにより制御ユニット２０は、顧客により硬貨投入取出口４ＡＸや紙幣投入取出口４ＡＹに誤って異物が投入されても、顧客に、返却口２ＡＸを介して、その異物を返却することができる。
【０１２８】
（１−３）異物返却部の構成
次いで、硬貨投入取出口４ＡＸや紙幣投入取出口４ＡＹに誤って投入された異物を顧客に返却するための異物返却部１９の構成について説明する。
【０１２９】
図４及び図５に示すように、異物返却部１９は、前パネル２の前面２Ａの下端部の左寄りに設けられた、返却口２ＡＸ形成用の凹部２ＡＹを有している。
【０１３０】
凹部２ＡＹは、前パネル２の前面２Ａ側では預払機上下方向に沿って谷形に凹むものの、当該前パネル２の後面２Ｂ側では預払機上下方向に沿って山形に突出するように形成されている。
【０１３１】
すなわち、凹部２ＡＹは、前パネル２の前面２Ａ側では、その深さが上縁から中央部にかけて徐々に深くなり、最も深い中央部から下縁へかけて徐々に浅くなるように形成されている。
【０１３２】
よって凹部２ＡＹは、その表面（すなわち、前パネル２の前面２Ａ側の面）の一部である凹面２ＡＺが、中央部を境にして上端部が前斜め下側を向くように傾斜し、下端部が前斜め上側を向くように傾斜する略弓形状又は略く字状のような谷形に形成されている。
【０１３３】
因みに、以下の説明では、凹部２ＡＹの凹面２ＡＺにおいて中央部を境にして前斜め下側を向くように傾斜している上端部を、前斜め下向傾斜箇所とも呼び、前斜め上側を向くように傾斜している下端部を、前斜め上向傾斜箇所とも呼ぶ。
【０１３４】
また凹部２ＡＹは、前パネル２の後面２Ｂ側では、当該後面２Ｂからの高さが上縁から中央部にかけて徐々に高くなり、最も高い中央部から下縁へかけて徐々に低くなるように形成されている。
【０１３５】
よって凹部２ＡＹは、その裏面（すなわち、前パネル２の後面２Ｂ側の面）の一部である凸面２ＡＭが、凹面２ＡＺの形状に対応させるようにして、中央部を境にして上端部が後斜め上側を向くように傾斜し、下端部が後斜め下側を向くように傾斜する略弓形状又は略く字状のような山形に形成されている。
【０１３６】
因みに、以下の説明では、凹部２ＡＹの凸面２ＡＭにおいて中央部を境にして後斜め上側を向くように傾斜している上端部を、後斜め上向傾斜箇所とも呼び、後斜め下側を向くように傾斜している下端部を、後斜め下向傾斜箇所とも呼ぶ。
【０１３７】
そして凹部２ＡＹは、凹面２ＡＺの前斜め上向傾斜箇所（すなわち、下端部）に、略四角形状の貫通孔でなる上述の返却口２ＡＸが形成されている。
【０１３８】
これにより異物返却部１９は、現金自動預払機１の前パネル２の前面２Ａと対峙する顧客が視線を斜め下側へ向けた場合、視覚的に返却口２ＡＸの大きさが実際の大きさよりも小さくなることを防止している。
【０１３９】
すなわち、異物返却部１９は、現金自動預払機１の前パネル２の前面２Ａと対峙する顧客が視線を斜め下側へ向けた場合、返却口２ＡＸをほぼ実際の大きさのまま見せることができ、返却口２ＡＸの視認性を向上させることができる。
【０１４０】
また異物返却部１９は、硬貨処理ユニット１６や紙幣処理ユニット１８から搬送される異物を受け取るための略バケット状の受皿（以下、これを異物受皿とも呼ぶ）５０を有している。
【０１４１】
図６に示すように、異物受皿５０はその横幅（すなわち、左側板５０Ａの左面から右側板５０Ｂの右面までの長さ）が例えば、凹部２ＡＹの横幅（すなわち、左縁から右縁までの長さ）とほぼ等しく選定されている。
【０１４２】
また異物受皿５０は、左側板５０Ａ及び右側板５０Ｂの前上端部が、それぞれ凹部２ＡＹの凸面２ＡＭの後斜め下向傾斜箇所の形状に対応させて斜めに切り欠かれている。
【０１４３】
さらに異物受皿５０は、底板５０Ｃが下側に凹む略円弧状に形成されると共に、後板５０Ｄの上端部の中央付近に略コ字状の切欠部５０ＤＸが形成されている。
【０１４４】
そして異物受皿５０（図５）は、凹部２ＡＹの凸面２ＡＭに、底板５０Ｃの前端を後斜め下向傾斜箇所の下縁部分に接触させ、かつ左側板５０Ａ及び右側板５０Ｂの斜めな前端を当該後斜め下向傾斜箇所の左縁部分及び右縁部分に接触させるようにして設けられている。
【０１４５】
すなわち、異物返却部１９において異物受皿５０は、返却口２ＡＸの奥になる凸面２ＡＭの後斜め下向傾斜箇所に、円弧状の底板５０Ｃを当該返却口２ＡＸの下縁の後斜め下に位置させるようにして設けられている。
【０１４６】
そのうえで、異物受皿５０は、後板５０Ｄの切欠部５０ＤＸに例えば、第１異物シュータ３２及び第２異物シュータ４５の他端部が、左右に並べられ、かつ当該後板５０Ｄの前側（すなわち、異物受皿５０内）に僅かに突出させて嵌合されている。
【０１４７】
これにより図７に示すように、異物返却部１９は、硬貨処理ユニット１６や紙幣処理ユニット１８から異物５１が第１異物シュータ３２や第２異物シュータ４５によって搬送されて異物排出口から排出された際、その異物５１を異物受皿５０で受け取って円弧状の底に載せておくことができる。
【０１４８】
また異物返却部１９（図５）は、返却口２ＡＸを閉塞し、また開放するための例えば、光透過性の樹脂材によって透明に形成された略コ字状の扉５２も有している。
【０１４９】
図８に示すように、扉５２は、表面が返却口２ＡＸの形状及び大きさとほぼ等しい略四角板状の本体部５２Ａを有している。
【０１５０】
因みに、以下の説明では、扉５２において本体部５２Ａの表面５２ＡＸを、扉表面５２ＡＸとも呼び、当該本体部５２Ａの裏面５２ＡＹを、扉裏面５２ＡＹとも呼ぶ。
【０１５１】
そして本体部５２Ａは、その下端の扉裏面５２ＡＹ側に、左端から右端に亘って略短冊状の突当部５２Ｂが突設されている。
【０１５２】
因みに、以下の説明では、扉５２において本体部５２Ａの扉表面５２ＡＸよりも一段低い突当部５２Ｂの一面５２ＢＸを、突当面５２ＢＸとも呼ぶ。
【０１５３】
また本体部５２Ａは、扉裏面５２ＡＹの左上端部及び右上端部に、それぞれ略Ｕ字板状の左突起部５２Ｃ及び右突起部５２Ｄが設けられている。
【０１５４】
さらに扉５２は、例えば、左突起部５２Ｃの上前隅部分、及び右突起部５２Ｄの上前隅部分の所定の対向位置に図示しない一対の軸取付孔部が穿設されている。
【０１５５】
そして扉５２は、一対の軸取付孔部に扉回動軸５３が、その長手方向を預払機左右方向と平行にして順に挿入されている。
【０１５６】
これにより扉５２は、扉回動軸５３が、その一端部を左突起部５２Ｃの左面から突出させ、かつ他端部を右突起部５２Ｄの右面から突出させた状態で取り付けられて（すなわち、固定されて）いる。
【０１５７】
また異物受皿５０（図５）は、左側板５０Ａの右面の上前隅部分、及び右側板５０Ｂの左面の上前隅部分の所定の対向位置に、図示しない左軸挿入孔部及び右軸挿入孔部が穿設されている。
【０１５８】
よって扉５２は、扉表面５２ＡＸを前側に向け、かつ扉裏面５２ＡＹを後側に向けた姿勢で、異物受皿５０の左軸挿入孔部に扉回動軸５３の一端部が右側から挿入されると共に、当該異物受皿５０の右軸挿入孔部に扉回動軸５３の他端部が左側から挿入されている。
【０１５９】
これにより異物返却部１９は、異物受皿５０により扉５２を、預払機左右方向と平行な扉回動軸５３を中心にして、図中に矢印ｄ１で示す一回転方向及びこれとは逆の他回転方向へ回動可能に支持している。
【０１６０】
因みに、扉５２の回転方向である一回転方向は、返却口２ＡＸに対し当該扉５２を閉じるための回転方向であり、扉５２の回転方向である他回転方向は、返却口２ＡＸに対し当該扉５２を開くための回転方向である。
【０１６１】
よって、以下の説明では、扉５２の回転方向である一回転方向を、閉方向とも呼び、当該扉５２の回転方向である他回転方向を、開方向とも呼ぶ。
【０１６２】
ところで、扉５２は、その重心が、当該扉５２を閉方向へ回転させて返却口２ＡＸに対し閉じるように作用するような位置となるように、本体部５２Ａの扉裏面５２ＡＹに設けられた左突起部５２Ｃ及び右突起部５２Ｄの形状や大きさ等が適宜選定されている。
【０１６３】
すなわち、扉５２は、その重心が例えば、扉表面５２ＡＸを斜め上側に向けた姿勢で本体部５２Ａと左突起部５２Ｃ及び右突起部５２Ｄとをつりあわせるような位置に選定されている。
【０１６４】
よって異物返却部１９は、扉５２を、その重心により、扉回動軸５３を中心にして閉方向へ回転させて返却口２ＡＸに対し閉じるように付勢している。
【０１６５】
従って異物返却部１９は、扉５２に何ら外力が加えられない（すなわち、顧客の手が扉表面５２ＡＸに触れていない）状態では、その扉５２を閉方向へ回転させて突当面５２ＢＸを、凹部２ＡＹの凸面２ＡＭにおいて返却口２ＡＸの下縁部分に突き当てる。
【０１６６】
これにより異物返却部１９は、凹部２ＡＹの凹面２ＡＺにおいて前斜め上向傾斜箇所に返却口２ＡＸが形成されているものの、扉５２の本体部５２Ａを、扉表面５２ＡＸを前斜め上側へ向けるように傾斜させて返却口２ＡＸに嵌合させ、かくして返却口２ＡＸに対し扉５２を閉じることができる。
【０１６７】
そして異物返却部１９（図７）は、返却口２ＡＸに対し扉５２を閉じていると、第１異物シュータ３２や第２異物シュータ４５によって搬送された異物５１が異物排出口から排出された際、その異物５１が返却口２ＡＸを通って外部に飛び出すことを防止することができる。
【０１６８】
すなわち、異物返却部１９は、返却口２ＡＸに対し扉５２を閉じている状態では、第１異物シュータ３２や第２異物シュータ４５によって搬送された異物５１を異物受皿５０で的確に受け取って保持しておくことができる。
【０１６９】
また図９に示すように、異物返却部１９は、扉５２を閉じた状態で、顧客により手で扉表面５２ＡＸが返却口２ＡＸの奥側に押されると、これに応じて扉５２を、扉回動軸５３を中心にして開方向へ回転させる。
【０１７０】
これにより異物返却部１９は、扉５２の本体部５２Ａを、返却口２ＡＸから引き抜いて、当該返却口２ＡＸの奥で扉表面５２ＡＸを前斜め下側へ向けるように傾斜させ、かくして返却口２ＡＸに対し扉５２を開くことができる。
【０１７１】
このようにして異物返却部１９は、顧客により扉５２が開かれると、その顧客に扉５２を開くために扉表面５２ＡＸを押すようにして返却口２ＡＸの中に入れさせた手で、異物受皿５０内の異物５１を返却口２ＡＸから取り出させることができる。
【０１７２】
そして異物返却部１９は、顧客の手が返却口２ＡＸから引き抜かれると、扉５２を重心により閉方向へ回転させて突当面５２ＢＸを、凹部２ＡＹの凸面２ＡＭにおいて返却口２ＡＸの下縁部分に突き当てる。
【０１７３】
これにより異物返却部１９は、扉５２の本体部５２Ａを、扉表面５２ＡＸを前斜め上側へ向けるように傾斜させて返却口２ＡＸに嵌合させるようにして、返却口２ＡＸに対し扉５２を再び閉じることができる。
【０１７４】
このようにして異物返却部１９は、扉５２以外に、その扉５２を閉方向へ回転させるように付勢するためのばねやばね係止部のような特別な部品を何ら設けることなく、簡易な構成で扉５２を自在に開閉することができる。
【０１７５】
これに加えて異物返却部１９（図５）は、凹部２ＡＹの凸面２ＡＭにおいて後斜め上向傾斜箇所の中央部寄りに例えば、略へ字状の基板取付部５５が、その一端部を異物受皿５０の上側に位置させて設けられている。
【０１７６】
そして異物返却部１９は、基板取付部５５の一端部の下面に、例えば、ＬＥＤ（Light  Emitting  Diode）のような１個の発光素子５６が実装された回路基板５７が、その発光素子５６の発光面を異物受皿５０の底面に向けて取り付けられている。
【０１７７】
これにより異物返却部１９は、顧客に異物５１を取り出させる際、制御ユニット２０の制御のもと、発光素子５６の発光面から例えば、青色や白色等の所定の色の照明光を連続的に発射させて（すなわち、発光面を連続的に発光させて）異物受皿５０内を照明することができる。
【０１７８】
また異物返却部１９では、上述したように扉５２が光透過性の樹脂材によって透明に形成されている。
【０１７９】
よって異物返却部１９は、発光素子５６が照明光を発射した場合、その照明光を直接及び異物受皿５０の内面で反射させて扉５２の扉裏面５２ＡＹに照射するようにして、その扉５２を透過させる。
【０１８０】
これにより異物返却部１９は、照明している異物受皿５０内を外部から扉５２の本体部５２Ａを通して見せることができる。
【０１８１】
そして異物返却部１９は、このように異物受皿５０内を照明している状態で、現金自動預払機１の前パネル２の前面２Ａと対峙する顧客が視線を斜め下側へ向けた場合は、返却口２ＡＸ内が明るいため、当該返却口２ＡＸの視認性をさらに向上させることができる。
【０１８２】
また異物返却部１９は、このように異物受皿５０内を照明しているため、実際に顧客により返却口２ＡＸを介して異物受皿５０内の異物５１が取り出される際、異物５１の種類や量、取忘の有無を容易に確認させることができる。
【０１８３】
特に異物返却部１９は、異物受皿５０内を照明している間は、外部から扉５２の本体部５２Ａを通して当該異物受皿５０内が見えるため、顧客が異物５１を取り出したつもりで、扉５２を閉じた後でも、異物５１の取忘がないか確認させることができる。
【０１８４】
なお、この実施の形態の場合、図１０に示すように、異物返却部１９の返却口２ＡＸは、その横幅Ｌ１（すなわち、左縁から右縁までの長さ）が例えば、大人の手の横幅（すなわち、指を揃えた場合）の横幅以上の所定長さに選定されている。
【０１８５】
また返却口２ＡＸは、その縦幅Ｌ２（すなわち、上縁から下縁までの長さ）が例えば、大人の手の厚み以上の所定長さに選定されている。
【０１８６】
すなわち、異物返却部１９の返却口２ＡＸは、その全体の大きさが、大人の手が入る程度の所定の大きさに選定されている。
【０１８７】
これにより異物返却部１９は、返却口２ＡＸに顧客の手を差し込み易くすることができると共に、その返却口２ＡＸを介して異物受皿５０内から異物５１を取り出し易くしている。
【０１８８】
これに加えて異物返却部１９の凹部２ＡＹは、前パネル２の前面２Ａ側の横幅Ｌ３（すなわち、左縁から右縁までの長さ）が例えば、返却口２ＡＸの横幅Ｌ１よりも長い所定長さに選定されている。
【０１８９】
また凹部２ＡＹは、前パネル２の前面２Ａ側の縦幅Ｌ４（すなわち、上縁から下縁までの長さ）が例えば、返却口２ＡＸの縦幅Ｌ２の２倍の長さよりも長い所定長さに選定されている。
【０１９０】
そして凹部２ＡＹは、上述のように前パネル２の前面２Ａ側が、上縁から中央部にかけて徐々に深くなるように形成されている。
【０１９１】
よって異物返却部１９は、現金自動預払機１の前パネル２の前面２Ａと対峙する顧客が視線を斜め下側へ向けたときに返却口２ＡＸを見え易くしている。
【０１９２】
また異物返却部１９は、顧客の手が異物５１の取り出しのために斜め上側から返却口２ＡＸに近づけられた際、凹部２ＡＹの凹面２ＡＺの前斜め下向傾斜箇所に沿わせるようにして返却口２ＡＸまで導くことができる。
【０１９３】
これにより異物返却部１９は、返却口２ＡＸに顧客の手を一段と差し込み易くすることができる。
【０１９４】
ここで、制御ユニット２０は、入金時、硬貨口用シャッタ６及び紙幣口用シャッタ７を開いて顧客に入金用の硬貨及び紙幣の投入を促した後、上述したように硬貨口用シャッタ６及び紙幣口用シャッタ７を閉じると、硬貨処理ユニット１６や紙幣処理ユニット１８を硬貨や紙幣を入金処理するように制御する。
【０１９５】
また制御ユニット２０は、このように硬貨口用シャッタ６及び紙幣口用シャッタ７を閉じると、その時点に、タッチスクリーン５に対し取引手順案内画像データに基づき例えば、図１１に示すような顧客に現金自動預払機１の前で待機するように促すための取引手順案内画像（以下、これを待機案内画像とも呼ぶ）６０を表示する。
【０１９６】
待機案内画像６０は、上端部に、顧客に現金自動預払機１の前で待機するように案内するための例えば、「ただいま処理しています  しばらくお待ちください」というような案内文６１が配置されている。
【０１９７】
これにより制御ユニット２０は、硬貨処理ユニット１６や紙幣処理ユニット１８により硬貨や紙幣を入金処理している間、タッチスクリーン５に待機案内画像６０を表示し続けて顧客に現金自動預払機１の前で待機するように促す。
【０１９８】
ただし、制御ユニット２０は、タッチスクリーン５に対する待機案内画像６０の表示を開始した後、第１異物センサや第２異物センサを介して異物５１を検出すると、その時点に異物返却部１９において回路基板５７を介して発光素子５６を制御して、当該発光素子５６に照明光を連続的に発射させ始める。
【０１９９】
これにより制御ユニット２０は、異物返却部１９において異物受皿５０内を照明すると共に、その照明している異物受皿５０内を、外部から返却口２ＡＸに対し閉じた状態の扉５２の本体部５２Ａを介して見えるようにする。
【０２００】
また制御ユニット２０は、第１異物センサや第２異物センサを介して異物５１を検出すると、タッチスクリーン５に対し待機案内画像６０に重ねて、取引手順案内画像データに基づき例えば、図１２に示すような顧客に異物５１の取り出しを促すための取引手順案内画像（以下、これを取出案内画像とも呼ぶ）６２を表示する。
【０２０１】
取出案内画像６２は、中央部に、顧客に異物５１の取り出しを案内するための例えば、「足元の硬貨をお取りください」というような案内文６３が配置されている。
【０２０２】
また取出案内画像６２は、例えば、右隅部に、顧客に、案内文６３による案内事項を確認した場合にタッチ操作させるための確認アイコン６４が設けられている。
【０２０３】
これにより制御ユニット２０は、顧客に取出案内画像６２を介して、硬貨投入取出口４ＡＸや紙幣投入取出口４ＡＹに誤って投入されていた異物５１を足元の返却口２ＡＸから取り出すように促すことができる。
【０２０４】
そして制御ユニット２０は、顧客が取出案内画像６２による案内に応じて、視線を、足元を見るように下げて前パネル２の前面２Ａの下側に向けると、当該前パネル２の凹部２ＡＹにおいて前斜め上向傾斜箇所に返却口２ＡＸが形成されていることにより、その返却口２ＡＸを的確に視認させることができる。
【０２０５】
また制御ユニット２０は、この際、返却口２ＡＸの奥となる異物受皿５０内を照明し、その照明している異物受皿５０内を、扉５２を介して見えるようにしている。
【０２０６】
言い換えると、制御ユニット２０は、この際、返却口２ＡＸ内を明るくしているため、前パネル２の前面２Ａ内で返却口２ＡＸを一段と視認させ易くしている。
【０２０７】
このようにして制御ユニット２０は、顧客に前パネル２の前面２Ａ内で返却口２ＡＸの位置を的確に認識させたうえで、当該返却口２ＡＸを介して異物受皿５０内から異物５１を取り出させることができる。
【０２０８】
ところで、制御ユニット２０は、顧客によりタッチスクリーン５を介して取出案内画像６２の確認アイコン６４がタッチ操作されると、その取出案内画像６２の表示を停止して（すなわち、消して）、当該タッチスクリーン５に待機案内画像６０のみを表示する。
【０２０９】
ただし、制御ユニット２０は、タッチスクリーン５に取出案内画像６２を表示した場合、顧客に返却口２ＡＸから異物５１を取り出す前と後の何れのタイミングでも確認アイコン６４をタッチ操作させ得るようにしている。
【０２１０】
このため、制御ユニット２０は、顧客によりタッチスクリーン５を介して取出案内画像６２の確認アイコン６４がタッチ操作されると、その時点から予め選定された所定の照明停止時間に達するまでの間は、異物返却部１９において異物受皿５０内の照明を継続している。
【０２１１】
因みに、照明停止時間は、顧客により取出案内画像６２内の確認アイコン６４がタッチ操作された後、返却口２ＡＸから異物５１が取り出される場合を考慮して、そのタッチ操作時点から異物５１の取出完了時点までに要すると想定される時間をもとに選定されている。
【０２１２】
これにより制御ユニット２０は、顧客により取出案内画像６２の確認アイコン６４がタッチ操作された後、返却口２ＡＸから異物５１が取り出される場合でも、異物返却部１９の異物受皿５０内を照明して、顧客に前パネル２の前面２Ａ内で返却口２ＡＸを視認させ易くすると共に、異物５１の取忘等も確認させ易くすることができる。
【０２１３】
（１−４）異物取出処理手順
次いで、図１３に示すフローチャートを用いて、制御ユニット２０が、硬貨投入取出口４ＡＸや紙幣投入取出口４ＡＹに誤って投入された異物５１を顧客に返却口２ＡＸから取り出させるための異物取出処理手順ＲＴ１について説明する。
【０２１４】
制御ユニット２０は、入金時、例えば、硬貨口用シャッタ６及び紙幣口用シャッタ７を開き顧客に入金用の硬貨及び紙幣の投入を促した後、硬貨口用シャッタ６及び紙幣口用シャッタ７を閉じると、内部のメモリに予め記憶している異物取出処理プログラムに従って、図１３に示す異物取出処理手順ＲＴ１を開始する。
【０２１５】
制御ユニット２０は、係る異物取出処理手順ＲＴ１を開始すると、ステップＳＰ１において、この際、硬貨投入取出口４ＡＸ及び紙幣投入取出口４ＡＹに異物５１が投入されたか否かを判別する。
【０２１６】
このステップＳＰ１において否定結果が得られると、このことは硬貨投入取出口４ＡＸ及び紙幣投入取出口４ＡＹの少なくとも一方に異物５１が投入されたものの、まだ、その異物５１を第１異物シュータ３２や第２異物シュータ４５へ引き渡すように処理している途中であり、第１異物センサや第２異物センサを介して検出してはいないことを表している。
【０２１７】
また、係る否定結果は、硬貨投入取出口４ＡＸ及び紙幣投入取出口４ＡＹの何れにも異物５１が投入されていない可能性があることも表している。ステップＳＰ１において制御ユニット２０は、係る否定結果を得ると、次のステップＳＰ２に移る。
【０２１８】
ところで、制御ユニット２０は、例えば、異物取出処理手順ＲＴ１を開始した場合、その処理開始時点に、内部のタイマにより処理経過時間の計時を開始している。
【０２１９】
よってステップＳＰ２において制御ユニット２０は、例えば、処理経過時間が、硬貨投入取出口４ＡＸ及び紙幣投入取出口４ＡＹの何れにも異物５１が投入されていないと判断するために予め選定された異物未投入判断時間に達したか否かを判別する。
【０２２０】
このステップＳＰ２において否定結果が得られると、このことは処理経過時間が異物未投入判断時間に達してはいないため、硬貨投入取出口４ＡＸ及び紙幣投入取出口４ＡＹの少なくとも一方に投入された異物５１を、まだ第１異物センサや第２異物センサを介して検出する可能性があることを表している。ステップＳＰ２において制御ユニット２０は、係る否定結果を得ると、ステップＳＰ１に戻る。
【０２２１】
これにより制御ユニット２０は、この後、ステップＳＰ１及びステップＳＰ２の何れかにおいて肯定結果を得るまでの間、当該ステップＳＰ１及びステップＳＰ２の処理を循環的に繰り返し実行する。
【０２２２】
このようにして制御ユニット２０は、硬貨投入取出口４ＡＸや紙幣投入取出口４ＡＹに投入された異物５１を検出すること、また処理経過時間が異物未投入判断時間に達することを待ち受ける。
【０２２３】
そしてステップＳＰ１において肯定結果が得られると、このことは硬貨投入取出口４ＡＸ及び紙幣投入取出口４ＡＹの少なくとも一方に投入された異物５１が第１異物センサや第２異物センサを介して検出され、第１異物シュータ３２や第２異物シュータ４５を介して異物返却部１９へ搬送されたことを表している。ステップＳＰ１において制御ユニット２０は、係る肯定結果を得ると、ステップＳＰ３に移る。
【０２２４】
ステップＳＰ３において制御ユニット２０は、異物返却部１９において発光素子５６に照明光を発射させることにより、異物受皿５０内を照明し始めて外部から扉５２を介して見えるようにして、次のステップＳＰ４に移る。
【０２２５】
またステップＳＰ４において制御ユニット２０は、タッチスクリーン５に対し待機案内画像６０に重ねて取出案内画像６２を表示する。
【０２２６】
これにより制御ユニット２０は、顧客に、その取出案内画像６２を介して、硬貨投入取出口４ＡＸや紙幣投入取出口４ＡＹに誤って投入していた異物５１を返却口２ＡＸから取り出すように促して、次のステップＳＰ５に移る。
【０２２７】
ステップＳＰ５において制御ユニット２０は、顧客によりタッチスクリーン５を介して取出案内画像６２内の確認アイコン６４がタッチ操作されることを待ち受ける。
【０２２８】
そしてステップＳＰ５において制御ユニット２０は、顧客によりタッチスクリーン５を介して取出案内画像６２内の確認アイコン６４がタッチ操作されたことを検出すると、その時点に内部のタイマにより、タッチ操作が行われてからの操作経過時間の計時を開始して、次のステップＳＰ６に移る。
【０２２９】
ステップＳＰ６において制御ユニット２０は、タッチスクリーン５に対する取出案内画像６２の表示を停止して、次のステップＳＰ７に移る。
【０２３０】
ステップＳＰ７において制御ユニット２０は、操作経過時間が照明停止時間に達することを待ち受ける。
【０２３１】
そしてステップＳＰ７において制御ユニット２０は、操作経過時間が照明停止時間に達したことを検出すると、次のステップＳＰ８に移る。
【０２３２】
ステップＳＰ８において制御ユニット２０は、異物返却部１９において発光素子５６に照明光の発射を停止させて異物受皿５０内の照明を停止（すなわち、消灯）した後、次のステップＳＰ９に移って、係る異物取出処理手順ＲＴ１を終了する。
【０２３３】
ところで、上述のステップＳＰ２において肯定結果が得られると、このことは第１異物センサや第２異物センサを介して異物５１を検出しないまま、処理経過時間が異物未投入判断時間に達したため、今回の入金では硬貨投入取出口４ＡＸ及び紙幣投入取出口４ＡＹの何れにも異物５１が投入されていないことを表している。
【０２３４】
ステップＳＰ２において制御ユニット２０は、係る肯定結果を得ると、ステップＳＰ９に移って異物取出処理手順ＲＴ１を終了する。
【０２３５】
（１−５）実施の形態の動作及び効果
以上の構成において、現金自動預払機１では、現金の取引を行うために訪れた顧客が対峙する前パネル２の前面２Ａにおいて、その顧客が視線を斜め下側へ向けたときの当該視線の先となる所定位置に、預払機上下方向に沿って谷形に凹む凹部２ＡＹを設けるようにした。
【０２３６】
また現金自動預払機１では、凹部２ＡＹの凸面２ＡＭにおいて中央部よりも下側の後斜め下向傾斜箇所に、硬貨投入取出口４ＡＸ及び紙幣投入取出口４ＡＹに投入された異物５１を受け取る異物受皿５０を設けるようにした。
【０２３７】
そして現金自動預払機１では、凹部２ＡＹの凹面２ＡＺにおいて中央部よりも下側の前斜め上向傾斜箇所に、凸面２ＡＭ側の異物受皿５０から異物５１を取り出させるための返却口２ＡＸを形成するようにした。
【０２３８】
従って現金自動預払機１は、前パネル２の前面２Ａと対峙する顧客が視線を斜め下側へ向けた場合、視覚的に返却口２ＡＸの大きさが実際の大きさよりも小さくなること防止して、当該返却口２ＡＸをほぼ実際の大きさのまま見せることができる。
【０２３９】
以上の構成によれば、現金自動預払機１は、顧客が対峙する前パネル２の前面２Ａにおいて、その顧客が視線を斜め下側へ向けたときの当該視線の先となる所定位置に、凹部２ＡＹを設け、当該凹部２ＡＹにおいて裏側の凸面２ＡＭの後斜め下向傾斜箇所に、硬貨投入取出口４ＡＸ及び紙幣投入取出口４ＡＹに投入された異物５１を受け取る異物受皿５０を設けると共に、表側の凹面２ＡＺの前斜め上向傾斜箇所に、異物受皿５０から異物５１を取り出させるための返却口２ＡＸを形成するようにした。
【０２４０】
これにより現金自動預払機１は、前パネル２の前面２Ａと対峙する顧客が視線を斜め下側へ向けた場合、視覚的に返却口２ＡＸの大きさが実際の大きさよりも小さくなること防止して、当該返却口２ＡＸをほぼ実際の大きさのまま見せることができる。
【０２４１】
よって現金自動預払機１は、顧客に、異物５１を取り出すための返却口２ＡＸを的確に認識させることができる。その結果、現金自動預払機１は、顧客による異物５１の取忘を防止することができる。
【０２４２】
また現金自動預払機１は、異物受皿５０に、返却口２ＡＸを閉塞し、また開放するための扉５２を回動可能に設け、当該扉５２を閉方向へ回転するように付勢するようにした。
【０２４３】
従って現金自動預払機１は、扉５２に顧客の手が触れる等して開方向へ回転させるような外力が加えられるまでは、凹部２ＡＹの凹面２ＡＺの前斜め上向傾斜箇所に形成された返却口２ＡＸに対し扉５２を閉じておくことができる。
【０２４４】
すなわち、現金自動預払機１は、硬貨投入取出口４ＡＸ及び紙幣投入取出口４ＡＹに投入された異物５１が第１異物シュータ３２及び第２異物シュータ４５によって異物受皿５０へ搬送される際、返却口２ＡＸに対し扉５２を閉じておくことができる。
【０２４５】
よって現金自動預払機１は、第１異物シュータ３２及び第２異物シュータ４５によって搬送された異物５１が異物排出口から異物受皿５０へ排出される際、その異物５１が返却口２ＡＸを通って外部に飛び出すことを扉５２で阻止して、当該異物受皿５０で異物５１を的確に受け取ることができる。
【０２４６】
さらに現金自動預払機１は、扉５２の本体部５２Ａの扉裏面５２ＡＹに左突起部５２Ｃ及び右突起部５２Ｄを設け、当該扉５２の重心を、扉５２を閉方向へ回転させて返却口２ＡＸに対し閉じるように作用するような（すなわち、閉じるように付勢可能な）位置にした。
【０２４７】
従って現金自動預払機１は、扉５２以外に、その扉５２を閉方向へ回転させるように付勢するための特別な部品を何ら設けることなく、扉５２を、その重心により閉方向へ回転させるように付勢して返却口２ＡＸに対し閉じることができる。
【０２４８】
すなわち、現金自動預払機１は、顧客の手によって扉５２の扉表面５２ＡＸが押されると、返却口２ＡＸに対して扉５２を開くことができるものの、その手が返却口２ＡＸから引き抜かれて扉表面５２ＡＸから離されると、再び返却口２ＡＸに対し扉５２を閉じることができる。よって現金自動預払機１は、簡易な構成で扉５２を自在に開閉することができる。
【０２４９】
さらに現金自動預払機１は、凹部２ＡＹの裏側の凸面２ＡＭに、異物受皿５０内を照明するための発光素子５６が実装された回路基板５７を設けるようにし、異物５１の取出時、発光素子５６を発光させて異物受皿５０内を照明するようにした。
【０２５０】
従って現金自動預払機１は、顧客に扉５２を開かせて異物受皿５０内の異物５１を取り出させる際、当該異物受皿５０内を異物５１と共に見え易くすることができ、取り出すべき異物５１の種類や量、また取忘の有無を容易に確認させることができる。
【０２５１】
そして現金自動預払機１は、扉５２を光透過性の樹脂材によって透明に形成するようにした。従って現金自動預払機１は、前パネル２の前面２Ａと対峙する顧客が異物５１の取り出しのために視線を斜め下側へ向けた場合は、異物受皿５０内から扉５２を介して外部に漏れる照明光により返却口２ＡＸを明るくして見せることができる。
【０２５２】
よって現金自動預払機１は、顧客に、異物５１を取り出すための返却口２ＡＸを一段と的確に認識させることができる。
【０２５３】
また現金自動預払機１は、異物５１の取出時に異物受皿５０内を照明した場合、外部からも扉５２を介して、その照明している異物受皿５０内を見せることができる。
【０２５４】
よって現金自動預払機１は、異物５１の取出時には、顧客が扉５２を開く前でも、その顧客に外部から取り出すべき異物５１の種類や量を容易に確認させることができる。
【０２５５】
また現金自動預払機１は、異物５１の取出時には、顧客が異物５１を取り出して扉５２を閉じた後でも、その顧客に外部から異物５１の取忘の有無を容易に確認させることができる。
【０２５６】
これに加えて現金自動預払機１は、異物５１の取出時、タッチスクリーン５に取出案内画像６２を表示して、前パネル２の前面２Ａと対峙している顧客に、硬貨投入取出口４ＡＸや紙幣投入取出口４ＡＹに誤って投入されていた異物５１を、足元の返却口２ＡＸから取り出すように促すようにした。
【０２５７】
従って現金自動預払機１は、異物５１の取出時、前パネル２の前面２Ａと対峙している顧客に視線を斜め下側へ向けさせることができると共に、その視線の先の返却口２ＡＸが凹部２ＡＹの前斜め上向傾斜箇所に形成されていることにより、その前面２Ａ内での返却口２ＡＸの位置を容易に確認させることができる。
【０２５８】
そして現金自動預払機１は、上述のように異物５１の取出時には異物受皿５０内を照明している照明光が扉５２から漏れていることにより、顧客に前パネル２の前面２Ａ内での返却口２ＡＸの位置を一段と容易に確認させることができる。
【０２５９】
（２）他の実施の形態
（２−１）他の実施の形態１
なお上述した実施の形態においては、現金自動預払機１において前パネル２の前面２Ａに凹部２ＡＹを設け、その凹部２ＡＹの凹面２ＡＺの前斜め上向傾斜箇所に返却口２ＡＸを形成するようにした場合について述べた。
【０２６０】
しかしながら本発明は、これに限らず、図１との対応部分に同一符号を付した図１４に示すように、現金自動預払機７０において預払機筐体３の前端に例えば、立っている大人の腰の高さくらいの所定の高さを有する前パネル７１を、そのほぼ垂直な表面を現金自動預払機７０の前面７１Ａとして前側に向けて設ける。
【０２６１】
そして本発明は、前パネル７１の前面７１Ａの下端部の左寄りに返却口７１ＡＸ形成用の凸部７１ＡＹを設け、当該凸部７１ＡＹの表面において前斜め上側を向くように傾斜する傾斜箇所に略四角形状の返却口７１ＡＸを形成するようにしても良い。
【０２６２】
この場合、図４との対応部分に同一符号を付した図１５に示すように、本発明は、例えば、凸部７１ＡＹを、預払機上下方向に沿って山形に突出するように形成する。
【０２６３】
すなわち、本発明は、凸部７１ＡＹを、前パネル７１の前面７１Ａからの高さが上縁から中央部にかけて徐々に高くなり、最も高い中央部から下縁へかけて徐々に低くなるように形成する。
【０２６４】
これにより本発明は、凸部７１ＡＹの表面の一部である凸面７１ＡＺを、中央部を境にして上端部が前斜め上側を向くように傾斜し、下端部が前斜め下側を向くように傾斜する略弓形状又は略く字状のような山形に形成する。
【０２６５】
そして本発明は、凸部７１ＡＹの凸面７１ＡＺにおいて前斜め上側を向くように傾斜する傾斜箇所（すなわち、上端部）に、略四角形状の貫通孔でなる上述の返却口７１ＡＸを形成する。
【０２６６】
本発明は、係る構成によっても、上述した実施の形態と同様に、前パネル７１の前面７１Ａと対峙する顧客が視線を斜め下側へ向けた場合、視覚的に返却口７１ＡＸの大きさが実際の大きさよりも小さくなること防止して当該返却口７１ＡＸをほぼ実際の大きさのまま見せることができ、顧客に、異物５１を取り出すための返却口７１ＡＸを的確に認識させることができる。
【０２６７】
これに加えて本発明は、係る凸部７１ＡＹを、前パネル７１の後面側では預払機上下方向に沿って谷形に凹むように形成する。
【０２６８】
すなわち、本発明は、凸部７１ＡＹを、前パネル７１の後面側では、その深さが上縁から中央部にかけて徐々に深くなり、最も深い中央部から下縁へかけて徐々に浅くなるように形成する。
【０２６９】
これにより本発明は、凸部７１ＡＹの裏面（すなわち、前パネル７１の後面側の面）の一部である凹面を、凸面７１ＡＺの形状に対応させるようにして、中央部を境にして上端部が後斜め下側を向くように傾斜し、下端部が後斜め上側を向くように傾斜する略弓形状又は略く字状のような谷形に形成する。
【０２７０】
そして本発明は、上述した実施の形態と同様に、その凸部７１ＡＹをもとに異物返却部７２を形成するようにして、当該凸部７１ＡＹの裏側の凹面に異物受皿（図示せず）や扉７３、発光素子の実装された回路基板（図示せず）を設けるようにしても良い。
【０２７１】
そして本発明は、係る構成によれば、上述した実施の形態によって得られる効果と同様の効果を得ることができる。
【０２７２】
（２−２）他の実施の形態２
また上述した実施の形態においては、前パネル２の前面２Ａに、その前面２Ａ側では預払機上下方向に沿って谷形に凹むものの、後面２Ｂ側では山形に突出する凹部２ＡＹを設け、当該凹部２ＡＹの表側の凹面２ＡＺにおいて前斜め上向傾斜箇所に返却口２ＡＸを形成するようにした場合について述べた。
【０２７３】
しかしながら本発明は、これに限らず、所定の厚みを有する前パネルの前面に、その厚み内で預払機上下方向に沿って谷形に凹む（すなわち、前パネルの後面は平坦にしたままで）凹部を設け、当該凹部の凹面において前斜め上向傾斜箇所に返却口を形成するようにしても良い。
【０２７４】
また本発明は、前パネルの後面は平坦にしたままで、当該前パネルの前面に、預払機上下方向に沿って山形に突出する凸部を設け、当該凸部の凸面において前斜め上側を向くように傾斜する傾斜箇所に返却口を形成するようにしても良い。
【０２７５】
本発明は、係る構成によっても、上述した実施の形態によって得られる効果と同様の効果を得ることができる。
【０２７６】
（２−３）他の実施の形態３
さらに上述した実施の形態においては、前パネル２の前面２Ａに、大人の手が入る程度の大きさを有する返却口２ＡＸを形成するようにした場合について述べた。
【０２７７】
しかしながら本発明は、これに限らず、前パネル２の前面２Ａに、上述した実施の形態による返却口２ＡＸよりも小さい例えば、大人の手の指が２乃至３本入る程度の所定の大きさを有する返却口を形成するようにしても良い。
【０２７８】
すなわち、本発明は、顧客に返却口から異物５１を取り出させることができれば、前パネル２の前面２Ａにおいて前斜め上側を向くように傾斜する傾斜箇所に、この他種々の大きさ及び形状の返却口を形成するようにしても良い。
【０２７９】
本発明は、係る構成によっても、上述した実施の形態によって得られる効果と同様の効果を得ることができる。
【０２８０】
（２−４）他の実施の形態４
さらに上述した実施の形態においては、異物受皿５０に扉５２を、預払機左右方向と平行な扉回動軸５３を中心にして閉方向及び開方向へ回動可能に設けて開閉するようにした場合について述べた。
【０２８１】
しかしながら本発明は、これに限らず、凹部２ＡＹの凸面２ＡＭ（また、他の実施の形態１で上述した凸部７１ＡＹの裏側の凹面）に軸受部を設け、その軸受部を介して扉５２を、預払機左右方向と平行な扉回動軸５３を中心にして閉方向及び開方向へ回動可能に設けて開閉するようにしても良い。
【０２８２】
また本発明は、前パネル２の後面２Ｂ（また、他の実施の形態１で上述した前パネル７１の後面）に軸受部を設け、その軸受部を介して扉５２を、預払機左右方向と平行な扉回動軸５３を中心にして閉方向及び開方向へ回動可能に設けて開閉するようにしても良い。
【０２８３】
さらに本発明は、返却口２ＡＸを閉塞し、また開放するための扉を例えば、後斜め上方向及びこれとは逆の前斜め下方向や、預払機上方向及び預払機下方向、預払機左方向及び預払機右方向等へ直線的に往復移動可能に設けて開閉するようにしても良い。
【０２８４】
さらに本発明は、返却口２ＡＸを閉塞し、また開放するための扉を例えば、凹部２ＡＹ（また、他の実施の形態１で上述した凸部７１ＡＹ）の前斜め上向傾斜箇所に垂直な扉回動軸を中心にして、扉表面を当該前斜め上向傾斜箇所と平行にしたまま回動可能に設けて開閉するようにしても良い。
【０２８５】
本発明は、係る種々の構成によっても、上述した実施の形態によって得られる効果と同様の効果を得ることができる。
【０２８６】
（２−５）他の実施の形態５
さらに上述した実施の形態においては、異物返却部１９において扉５２を、その重心により閉方向へ回転させるように付勢するようにした場合について述べた。
【０２８７】
しかしながら本発明は、これに限らず、異物返却部１９に、扉５２を閉方向へ回転させるように付勢するためのトーションぱねや、そのトーションばねを係止するばね係止部等の付勢部品を設け、その付勢部品を介して扉５２を閉方向へ回転させるように付勢するようにしても良い。
【０２８８】
（２−６）他の実施の形態６
さらに上述した実施の形態においては、異物返却部１９において扉５２を、光透過性の樹脂材により透明に形成するようにした場合について述べた。
【０２８９】
しかしながら本発明は、これに限らず、異物返却部１９において扉５２を、光透過性の樹脂材により半透明に形成するようにしても良い。
【０２９０】
本発明は、係る構成によれば、異物５１の取出時に異物返却部１９において異物受皿５０内を照明した際、扉を、その照明光を透過させるようにして、あたかも発光しているように明るくすることができる。
【０２９１】
よって本発明は、異物５１の取出時に顧客が視線を斜め下側へ向けた際には、このように明るくしている扉と共に返却口２ＡＸの位置を容易にかつ確実に認識させることができる。
【０２９２】
（２−７）他の実施の形態７
さらに上述した実施の形態においては、異物５１の取出時、異物返却部１９において発光素子５６に照明光を連続的に発射させて（すなわち、発光面を連続的に発光させて）異物受皿５０内を連続的に照明するようにした場合について述べた。
【０２９３】
しかしながら本発明は、これに限らず、異物５１の取出時、異物返却部１９において発光素子５６に照明光を間欠的に発射させて（すなわち、発光面を間欠的に発光させて）異物受皿５０内を間欠的に照明するようにしても良い。
【０２９４】
本発明は、係る構成によれば、異物５１の取出時に顧客が視線を斜め下側へ向けた際、返却口２ＡＸ内を点滅させて目立たせることができ、当該返却口２ＡＸの位置を容易にかつ確実に認識させることができる。
【０２９５】
（２−８）他の実施の形態８
さらに上述した実施の形態においては、異物５１の取出時、顧客によりタッチスクリーン５を介して取出案内画像６２内の確認アイコン６４がタッチ操作されると、その操作時点から照明停止時間に達するまでの間、異物返却部１９において異物受皿５０内を照明するようにした場合について述べた。
【０２９６】
しかしながら本発明は、これに限らず、例えば、異物受皿５０の底付近に、異物５１の有無を検出するための所定のセンサを設ける。
【０２９７】
そして本発明は、そのセンサを介して、異物受皿５０で異物５１を受け取ったことを検出した時点に当該異物受皿５０内の照明を開始し、そのセンサを介して、顧客により異物５１が全て取り出されたことを検出した時点に当該異物受皿５０内の照明を停止するようにしても良い。
【０２９８】
すなわち、本発明は、そのセンサを介して、異物受皿５０で異物５１を受け取ったことを検出した時点から顧客により異物５１が全て取り出されたことを検出するまでの間、当該異物受皿５０内を照明するようにしても良い。
【０２９９】
本発明は、係る構成によれば、異物５１の取出時に異物受皿５０から異物５１が取り出された後も当該異物受皿５０内を照明することがなく、その照明のための消費電力を抑えることができる。
【０３００】
（２−９）他の実施の形態９
さらに上述した実施の形態においては、異物返却部１９において異物受皿５０に第１異物シュータ３２の他端部と第２異物シュータ４５の他端部とを接続するようにした場合について述べた。
【０３０１】
しかしながら本発明は、これに限らず、例えば、第１異物シュータ３２の他端部と第２異物シュータ４５の他端部とを統合して異物受皿５０に接続するようにしても良い。
【０３０２】
また本発明は、異物返却部１９において異物受皿５０に異物受取用の１本のシュータをも設け、第１異物シュータ３２及び第２異物シュータ４５から異物５１を当該シュータへ受け渡すようにしても良い。
【０３０３】
さらに本発明は、例えば、硬貨処理ユニット１６及び紙幣処理ユニット１８から異物５１を、搬送ベルトを介して異物受皿５０へ搬送するようにしても良い。
【０３０４】
本発明は、このような種々の構成によっても、顧客により硬貨投入取出口４ＡＸや紙幣投入取出口４ＡＹに投入された異物５１を異物受皿５０へ搬送して受け取らせることができる。
【０３０５】
（２−１０）他の実施の形態１０
さらに上述した実施の形態においては、入金時に硬貨投入取出口４ＡＸ及び紙幣投入取出口４ＡＹに入金用の硬貨及び入金用の紙幣が投入される際、当該硬貨投入取出口４ＡＸや紙幣投入取出口４ＡＹに異物５１が投入されると、顧客に、その異物５１を返却口２ＡＸから取り出させるようにした場合について述べた。
【０３０６】
しかしながら本発明は、これに限らず、入金時にリジェクト硬貨やリジェクト紙幣を返却する際や出金時のように、硬貨口用シャッタ６及び紙幣口用シャッタ７を開ける場合には、硬貨投入取出口４ＡＸや紙幣投入取出口４ＡＹに異物が投入される可能性がある。
【０３０７】
このため本発明は、その入金時にリジェクト硬貨やリジェクト紙幣を返却する際や出金時にも、当該硬貨投入取出口４ＡＸや紙幣投入取出口４ＡＹに異物５１が投入された場合は、顧客に、その異物５１を返却口２ＡＸから取り出させる（すなわち、制御ユニット２０により異物取出処理手順ＲＴ１を実行する）ようにしても良い。
【０３０８】
（２−１１）他の実施の形態１１
さらに上述した実施の形態においては、制御ユニット２０が、内部のメモリに予め記憶している異物取出処理プログラムに従い、図１３について上述した異物取出処理手順ＲＴ１を実行するようにした場合について述べた。
【０３０９】
しかしながら本発明は、これに限らず、制御ユニット２０が異物取出処理プログラムの記憶されたコンピュータ読取可能な記憶媒体によって当該異物取出処理プログラムをインストールするようにしても良い。
【０３１０】
そして制御ユニット２０が、そのインストールした異物取出処理プログラムに従って異物取出処理手順ＲＴ１を実行するようにしても良い。
【０３１１】
また制御ユニット２０は、ローカルエリアネットワークやインターネット、デジタル衛星放送等の有線及び無線通信媒体を利用して外部から異物取出処理プログラムをインストールするようにしても良い。
【０３１２】
そして異物取出処理プログラムを制御ユニット２０にインストールして実行可能な状態にするためのコンピュータ読取可能な記憶媒体としては、例えば、フレキシブルディスクのようなパッケージメディアで実現しても良い。
【０３１３】
また異物取出処理プログラムを制御ユニット２０にインストールして実行可能な状態にするためのコンピュータ読取可能な記憶媒体としては、例えば、ＣＤ−ＲＯＭ（Compact  Disc-Read  Only  Memory）のようなパッケージメディアで実現しても良い。
【０３１４】
さらに異物取出処理プログラムを制御ユニット２０にインストールして実行可能な状態にするためのコンピュータ読取可能な記憶媒体としては、例えば、ＤＶＤ（Digital  Versatile  Disc）等のパッケージメディアで実現しても良い。
【０３１５】
さらに、係るコンピュータ読取可能な記憶媒体としては、パッケージメディアのみならず、各種プログラムが一時的もしくは永続的に記憶される半導体メモリや磁気ディスク等で実現しても良い。
【０３１６】
また、これらコンピュータ読取可能な記憶媒体に異物取出処理プログラムを記憶する手段としては、ローカルエリアネットワークやインターネット、デジタル衛星放送等の有線及び無線通信媒体を利用するようにしても良い。
【０３１７】
さらにコンピュータ読取可能な記憶媒体には、ルータやモデム等の各種通信インタフェースを介して異物取出処理プログラムを記憶するようにしても良い。
【０３１８】
（２−１２）他の実施の形態１２
さらに上述した実施の形態においては、本発明による取出装置を、図１乃至図１５について上述した現金自動預払機１に設けられた異物返却部１９、７２に適用するようにした場合について述べた。
【０３１９】
しかしながら本発明は、これに限らず、現金自動支払機（CD：Cash  Dispenser）や入金専用機、出金専用機等の現金取扱装置に設けられた異物返却部や、両替機、電車の切符や観劇のチケット等を販売する券売機、精算機、自動販売機、パチンコ台やスロット台のような遊戯機に設けられた異物返却部に適用することができる。
【０３２０】
また本発明は、取出装置を、異物を取り出させるようにして返却するための返却部のみならず、両替機や券売機、精算機、自動販売機、遊戯機、自動釣銭機に設けられた釣り銭としての硬貨を取り出させるための取出部や、遊戯機に設けられた遊戯用のメダルや遊戯用のカード、景品を取り出させるための取出部等のように、この他種々の構成の取出装置に広く適用することができる。
【０３２１】
（２−１３）他の実施の形態１３
さらに上述した実施の形態においては、本発明による現金取扱装置を、図１乃至図１５について上述した現金自動預払機１に適用するようにした場合について述べた。
【０３２２】
しかしながら本発明は、これに限らず、現金自動支払機や入金専用機、出金専用機等のように、この他種々の構成の現金取扱装置に広く適用することができる。
【０３２３】
（２−１４）他の実施の形態１４
さらに上述した実施の形態においては、人が前面と対峙するパネルとして、図１乃至図１５について上述した、立っている大人の腰の高さくらいの所定の高さを有する前パネル２を適用するようにした場合について述べた。
【０３２４】
しかしながら本発明は、これに限らず、立っている大人の背丈くらいの所定の高さを有するパネルや、立っている大人の足元よりも上側に配置された左右に長い帯状のパネル等のように、この他種々の形状及び構成のパネルを広く適用することができる。
【０３２５】
（２−１５）他の実施の形態１５
さらに上述した実施の形態においては、取出対象を排出する排出部として、図１乃至図１５について上述した第１異物シュータ３２及び第２異物シュータ４５を適用するようにした場合について述べた。
【０３２６】
しかしながら本発明は、これに限らず、取出対象を搬送する搬送ベルトや、搬送ローラ等を有する搬送部のように、この他種々の構成の排出部を広く適用することができる。
【０３２７】
（２−１６）他の実施の形態１６
さらに上述した実施の形態においては、所定の排出部から排出される取出対象として、図１乃至図１５について上述した硬貨や紙幣以外の異物５１を適用するようにした場合について述べた。
【０３２８】
しかしながら本発明は、これに限らず、釣り銭としての硬貨や、遊戯用のメダル、遊戯用のカード、景品等のように、この他種々の取出対象を広く適用することができる。
【０３２９】
（２−１７）他の実施の形態１７
さらに上述した実施の形態においては、パネルの前面と対峙する人が視線を斜め下側へ向けた際の当該視線の先となる前面の所定位置の裏側に設けられ、所定の排出部から排出される取出対象を受け取る受取部として、図１乃至図１５について上述した略バケット状の異物受皿５０を適用するようにした場合について述べた。
【０３３０】
しかしながら本発明は、これに限らず、底面が平坦な異物受皿や、異物シュータの端部、返却口の入口よりも奥側の孔部自体等のように、この他種々の構成の受取部を広く適用することができる。
【０３３１】
（２−１８）他の実施の形態１８
さらに上述した実施の形態においては、パネルの前面の所定位置に設けられ、当該前面側の表面が斜め上側を向くように傾斜する傾斜箇所を有するように形成されると共に、表面の傾斜箇所に、受取部から取出対象を取り出させるための取出口が形成された取出口形成部として、図１乃至図１５について上述した略四角形状の返却口２ＡＸが形成された凹部２ＡＹを適用するようにした場合について述べた。
【０３３２】
しかしながら本発明は、これに限らず、他の実施の形態１で上述したような山形に突出する凸部７１ＡＹや、円形の取出口が形成された所定形状の凹部又は凸部、楕円形の取出口が形成された所定形状の凹部又は凸部等のように、この他種々の構成の取出口形成部を広く適用することができる。
【０３３３】
（２−１９）他の実施の形態１９
さらに上述した実施の形態においては、受取部内を照明するための光源として、図１乃至図１５について上述した発光素子５６を適用するようにした場合について述べた。
【０３３４】
しかしながら本発明は、これに限らず、冷陰極管のように、この他種々の光源を広く適用することができる。
【０３３５】
（２−２０）他の実施の形態２０
さらに上述した実施の形態においては、取出口に対し開閉可能に設けられた扉として、図１乃至図１５について上述した略コ字状の扉５２を適用するようにした場合について述べた。
【０３３６】
しかしながら本発明は、これに限らず、取出口の形状に合わせた略四角平板状の扉や円板状の扉、楕円板状の扉、また扉表面に受取部の照明用の照明光を通して取出口の外を出射するための複数のスリットや複数の孔部が形成された扉、扉回動軸が一体成形された扉等のように、この他種々の構成の扉を広く適用することができる。
【０３３７】
（２−２１）他の実施の形態２１
さらに上述した実施の形態においては、扉を、取出口に対し閉じるように付勢する付勢部として、図１乃至図１５について上述した扉５２の本体部５２Ａに一体に設けられた左突起部５２Ｃ及び右突起部５２Ｄを適用するようにした場合について述べた。
【０３３８】
しかしながら本発明は、これに限らず、扉とは別に設けられたトーションばねやコイルばね、板ばね、ゴム等のように、この他種々の構成の付勢部を広く適用することができる。
【０３３９】
（２−２２）他の実施の形態２２
さらに上述した実施の形態においては、取出対象の取出時、当該取出対象を取り出すように促すための通知部として、図１乃至図１５について上述したタッチスクリーン５を適用するようにした場合について述べた。
【０３４０】
しかしながら本発明は、これに限らず、スピーカやライト等のように、この他種々の通知部を広く適用することができる。
【産業上の利用可能性】
【０３４１】
本発明は、異物や、釣り銭としての硬貨、遊戯用のメダル等を取り出させるための取出装置、及び現金自動預払機や現金自動支払機等の現金取扱装置に利用することができる。
【符号の説明】
【０３４２】
１、７０……現金自動預払機、２、７１……前パネル、２Ａ、７１Ａ……前面、２ＡＸ、７１ＡＸ……返却口、２ＡＹ……凹部、２ＡＺ……凹面、４ＡＸ……硬貨投入取出口、４ＡＹ……紙幣投入取出口、５……タッチスクリーン、１９、７２……異物返却部、２０……制御ユニット、３２……第１異物シュータ、４５……第２異物シュータ、５０……異物受皿、５１……異物、５２、７３……扉、５２Ａ……本体部、５２Ｃ……左突起部、５２Ｄ……右突起部、５３……扉回動軸、５６……発光素子、５７……回路基板、７１ＡＹ……凸部、７１ＡＺ……凸面、ＲＴ１……異物取出処理手順。
【図１】
2014078101.tif 000003
【図２】
2014078101.tif 000004
【図３】
2014078101.tif 000005
【図４】
2014078101.tif 000006
【図５】
2014078101.tif 000007
【図６】
2014078101.tif 000008
【図７】
2014078101.tif 000009
【図８】
2014078101.tif 000010
【図９】
2014078101.tif 000011
【図１０】
2014078101.tif 000012
【図１１】
2014078101.tif 000013
【図１２】
2014078101.tif 000014
【図１３】
2014078101.tif 000015
【図１４】
2014078101.tif 000016
【図１５】
2014078101.tif 000017
【図１６】
2014078101.tif 000018